(57)【要約】      （修正有）【課題】使用者が使用する目的に合った適切な大きさにリール径を変更できるコード巻取り装置を提供する。【解決手段】コード２と、軸芯１に回転自在に取付けられコードを巻き取るリール１０と、渦巻きバネ１５を収納し渦巻きバネの内端を軸芯部に連結し外端を渦巻きバネの収納ケースに接続したバネ収納ケース１４とを備えたコード巻取り装置Ａにおいて、巻取りリール径を変更可能にする巻取り径変更手段１３と、コードを通過させ案内する案内穴１８ｆを移動可能にしたコード案内装置１６とを設け、案内穴を巻取り径変更手段で変更したリールのコード巻取り径に近接させて移動するようにした。【選択図】図１
0003193058.tif 000002
【実用新案登録請求の範囲】
【請求項１】
コードと、軸芯に回転自在に取付けられコードを巻き取るリールと、渦巻きバネを収納し渦巻きバネの内端を軸芯部に連結し外端を渦巻きバネの収納ケースに接続したバネ収納ケースとを備え、リールとバネ収納ケースを連結しリールに巻き取ったコードを引き出すことで渦巻きバネに付勢力を発生させこの付勢力によりリールにコードを巻き取らせるコード巻取り装置において、前記リールの巻取りリール径を変更可能にする巻取り径変更手段と、前記コードを通過させコードを案内する案内穴を移動可能にしたコード案内装置とを設け、当該コード案内装置の案内穴を巻取り径変更手段で変更したリールにコードを巻取った巻取り径に近接させて移動するようにしたことを特徴とするコード巻取り装置。
【請求項２】
請求項１において、前記コード案内装置は、前記軸芯に回転自在に取り付けたピニオンギアと、当該ピニオンギアのギアにそのギアを噛合わせて配置したラック部材と、前記軸芯に連結され前記ラック部材の移動をガイドするガイド部材と、前記ラック部材の移動を阻止するロック手段とからなり、前記ラック部材の一端から中央部に向かった直線状のギアに前記ピニオンギアを噛み合わせ、前記ラック部材の他端部に前記リールのコード巻取面に対峙し前記コードを通過させ前記コードを案内する前記案内穴を設け、当該案内穴を前記巻取り径変更手段で変更したリールにコードを巻取った巻取り径に近接するよう前記ピニオンギアとラック部材により移動して調整した後、前記ロック手段にてロックするようにしたことを特徴とするコード巻取り装置。
【請求項３】
請求項２において、前記巻取り径変更手段は、前記軸芯に中央部を回転自在に取付けた第１アームと、第１アームのそれぞれの両端部にその一端部を屈曲可能に連結しその他端部にコードを巻き取るコード巻取り周面を形成した一対の第２アームとで構成し、第１アームに対して第２アームをそれぞれ反対方向に屈曲させて第１アームと第２アームの屈曲角を変更することで一対の第２アームのコード巻取り周面で形成されるコード巻取り周面間の距離を調整して前記リールの巻取りリール径を決定し、一対のコード巻取り周面にコードを巻回させるようにしたことを特徴とするコード巻取り装置。
【請求項４】
請求項３において、第１アームと第２アームの屈曲部にもコードを巻き取るコード巻取り周面を形成し、それぞれのコード巻取り周面にコードを巻回させるようにしたことを特徴とするコード巻取り装置。
【請求項５】
請求項２において、前記巻取り径変更手段は、前記軸芯に中央部を回転自在に取付けた基台と、基台に対してその先端をそれぞれ反対方向に突出させるとともにその基端を基台に取付けその長さを変更可能にし先端にコードを巻き取るコード巻取り周面を形成した複数のアームとで構成し、それぞれのアームの長さを変更することで複数のアームのコード巻取り周面間の距離を調整して前記リールの巻取りリール径を決定するようにしたことを特徴とするコード巻取り装置。
【請求項６】
請求項３乃至請求項５のいずれか１項において、前記巻取り径変更手段で巻取りリール径を決定したリールへのコードの巻取は、コードの中間部を前記第１アーム中心部または前記基台中心部に係止させ、係止した中間部から前記コードの両端部側の一方の第１コードを前記コード巻取り周面間の左周面に巻回させ、前記コードの両端部側の他方の第２コードを前記コード巻取り周面間の右周面に巻回させるようにし、前記コード案内装置を、前記ラック部材を一対配置し互いに反対方向に移動するよう前記ピニオンギアにギアを噛合わせ、それぞれのラック部材の案内穴を前記リールを跨いで前記コード巻取り周面に対峙させて配置し、一方の案内穴をコード巻取り周面の左周面に対峙させ第１コードを通過させて案内させるとともに他方の案内穴をコード巻取り周面の右周面に対峙させ第２コードを通過させて案内させるようにし、それぞれの案内穴を前記コード巻取り周面にコードを巻取った巻取り径に近接させるよう前記ピニオンギアとラック部材により径方向に調整した後、前記ロック手段にてロックするようにしたことを特徴とするコード巻取り装置。
【考案の詳細な説明】
【技術分野】
【０００１】
この考案は、不使用時にはコードを自動的に巻き戻してリールに巻き取るとともに、使用時にコードをリールから繰り出すコード巻取り装置に関するものである。
【背景技術】
【０００２】
この種のコード巻取り装置として図２５〜図２７に図示するコードリールが公知である。このコードリールは次のように構成している。リール１００の中心孔１０１を単一軸部１０２に回転自在に挿通し、リール１００の外周面を、概ね左、右周面１０３、１０４に区分しており、ゼンマイバネ１０５の底端１０６を軸部１０２に連結し、外端１０７をリール１００の外周面上に接続している。ケーブル１０８の適当な長さを取ってリール外周面上に係止して、上、下コード１０９、１１０を構成し、右壁体１１１の内壁面に前述の軸部１０２を固定し、軸部１０２を左壁体１１２に挿入装着し、左、右周面１０３、１０４上にコード収納部１１３を形成し、コード収納部１１３に上、下コード１０９、１１０を巻いて収納し、これによりリール１００内の上コード１０９が引き出される長さと下コード１１０が同時に放出される長さが等しくなるようにしている。
【０００３】
また、左、右周面１０３、１０４は共通の回転中心線１１４を有する。リール１００の外周面上に、二つの位置決めスリット１１５、１１６を具え、ケーブル１０８を二つの位置決めスリット１１５、１１６にはめ込んで位置決めすることにより、上、下コード１０９、１１０に区分している。
【０００４】
左、右壁体１１２、１１１の上、下端にそれぞれダボ１１７、１１８とダボ孔１１９、１２０を具え、ダボ１１７、１１８をダボ孔１１９、１２０に挿入して左、右壁体１１２、１１１を結合させ、その隣り合う二つのダボ１１７、１１８の間に貫通孔１２１、１２２ を形成して、上、下コード１０９、１１０ を貫通孔１２１、１２２から引き出すようにしている。そしてネジ１２３を左壁体１１２の中心孔１２４から軸部１０２のネジ孔１２５内にかしめ、左右壁体１１２、１１１を結合させている。
【０００５】
なお、図示しないが、左壁体１１２とリール１００間には、リール１００の回転をロックしたりロックを解除するラッチ機構を備えている。このラッチ機構は、リール１００に巻き取っているケーブル１０８の上、下コード１０９、１１０を貫通孔１２１、１２２から引き出されたとき、巻き戻されることなく所定の位置でロックされ、逆に巻き戻しのときは上、下コード１０９、１１０を軽く引っ張ることによってリール１００外のケーブル１０８をゼンマイバネ１０５の付勢力で自動的にリール１００に上、下コード１０９、１１０を巻き戻すようになっている。
【０００６】
ケーブル１０８の両端にはそれぞれ信号伝送用途のイヤホン１２６、プラグ１２７を接続してイヤホンコードのコード巻取り装置として利用されている。また、ケーブル１０８の両端をそれぞれ導電用途のプラグとソケットを接続して導電用コードのとしてコード巻取り装置としても利用されている。
【０００７】
このようになっているコードリールは、左、右周面１０３、１０４にそれぞれ上コード１０９及び下コード１１０を巻き取り、左、右周面１０３、１０４の外径Ｄ 、ｄ の大きさは同じであるから、貫通孔１２１、１２２から引き出し、巻き戻される上、下コード１０９、１１０の長さは同じである。貫通孔１２１、１２２から引き出し、巻き戻される上、下コード１０９、１１０の長さを異なるようにするためには、左、右周面１０３、１０４の外径Ｄ 、ｄ の大きさを必要に応じて異径とすることが知られている。（特許文献１）
【先行技術文献】
【特許文献】
【０００８】
【特許文献１】実用新案登録第３１０２２０９号公報
【考案の概要】
【考案が解決しようとする課題】
【０００９】
このようなコードリールの大きさは、引き出し、巻き戻されるコードの太さや長さによって、リール１００の径やコード収納部１１３のスペースを決定する左右壁体１１１、１１２の大きさで決定される。ところが、使用者が使用したい適切なコードを巻回したコードリールはなく、信号伝送用途のコードリールにあっては、目的の長さより長いコードを巻回したコードリールを用いたり、導電用途のコードリールにあっては、定格容量に合う長さに対する太めのコードを使用したコードリールを用いている。したがって、使用されるコードリールは使用する目的に合った大きさより大き目のサイズが使用されていることから、かさばった大きさになったり、重量が重くなったりして、持ち運ぶのに不便なものとなっていた。
【００１０】
本考案は、このような課題を解決し使用者が使用する目的に合った適切な大きさにすることができるコードリールすなわちコード巻取り装置を提供することを目的とする。
【課題を解決するための手段】
【００１１】
請求項１のコード巻取り装置は、コードと、軸芯に回転自在に取付けられコードを巻き取るリールと、渦巻きバネを収納し渦巻きバネの内端を軸芯部に連結し外端を渦巻きバネの収納ケースに接続したバネ収納ケースとを備え、リールとバネ収納ケースを連結しリールに巻き取ったコードを引き出すことで渦巻きバネに付勢力を発生させこの付勢力によりリールにコードを巻き取らせるコード巻取り装置において、前記リールの巻取りリール径を変更可能にする巻取り径変更手段と、前記コードを通過させコードを案内する案内穴を移動可能にしたコード案内装置とを設け、当該コード案内装置の案内穴を巻取り径変更手段で変更したリールにコードを巻取った巻取り径に近接させて移動するようにしたことを特徴とする。
請求項２のコード巻取り装置は、請求項１において、前記コード案内装置は、前記軸芯に回転自在に取り付けたピニオンギアと、当該ピニオンギアのギアにそのギアを噛合わせて配置したラック部材と、前記軸芯に連結され前記ラック部材の移動をガイドするガイド部材と、前記ラック部材の移動を阻止するロック手段とからなり、前記ラック部材の一端から中央部に向かった直線状のギアに前記ピニオンギアを噛み合わせ、前記ラック部材の他端部に前記リールのコード巻取面に対峙し前記コードを通過させ前記コードを案内する前記案内穴を設け、当該案内穴を前記巻取り径変更手段で変更したリールにコードを巻取った巻取り径に近接するよう前記ピニオンギアとラック部材により移動して調整した後、前記ロック手段にてロックするようにしたことを特徴とする。
請求項３コード巻取り装置は、請求項２において、前記巻取り径変更手段は、前記軸芯に中央部を回転自在に取付けた第１アームと、第１アームのそれぞれの両端部にその一端部を屈曲可能に連結しその他端部にコードを巻き取るコード巻取り周面を形成した一対の第２アームとで構成し、第１アームに対して第２アームをそれぞれ反対方向に屈曲させて第１アームと第２アームの屈曲角を変更することで一対の第２アームのコード巻取り周面で形成されるコード巻取り周面間の距離を調整して前記リールの巻取りリール径を決定し、一対のコード巻取り周面にコードを巻回させるようにしたことを特徴とする。
請求項４のコード巻取り装置は、請求項３において、第１アームと第２アームの屈曲部にもコードを巻き取るコード巻取り周面を形成し、それぞれのコード巻取り周面にコードを巻回させるようにしたことを特徴とする。
請求項５のコード巻取り装置は、請求項２において、前記巻取り径変更手段は、前記軸芯に中央部を回転自在に取付けた基台と、基台に対してその先端をそれぞれ反対方向に突出させるとともにその基端を基台に取付けその長さを変更可能にし先端にコードを巻き取るコード巻取り周面を形成した複数のアームとで構成し、それぞれのアームの長さを変更することで複数のアームのコード巻取り周面間の距離を調整して前記リールの巻取りリール径を決定するようにしたことを特徴とする。
請求項６のコード巻取り装置は、請求項３乃至請求項５のいずれか１項において、前記巻取り径変更手段で巻取りリール径を決定したリールへのコードの巻取は、コードの中間部を前記第１アーム中心部または前記基台中心部に係止させ、係止した中間部から前記コードの両端部側の一方の第１コードを前記コード巻取り周面間の左周面に巻回させ、前記コードの両端部側の他方の第２コードを前記コード巻取り周面間の右周面に巻回させるようにし、前記コード案内装置を、前記ラック部材を一対配置し互いに反対方向に移動するよう前記ピニオンギアにギアを噛合わせ、それぞれのラック部材の案内穴を前記リールを跨いで前記コード巻取り周面に対峙させて配置し、一方の案内穴をコード巻取り周面の左周面に対峙させ第１コードを通過させて案内させるとともに他方の案内穴をコード巻取り周面の右周面に対峙させ第２コードを通過させて案内させるようにし、それぞれの案内穴を前記コード巻取り周面にコードを巻取った巻取り径に近接させるよう前記ピニオンギアとラック部材により径方向に調整した後、前記ロック手段にてロックするようにしたことを特徴とする。
【考案の効果】
【００１２】
請求項１に記載のコード巻取り装置は、巻取り径変更手段で巻取りリール径を変更可能にしたものであるから、使用者が使用するコードを巻き取るに適切な巻取りリール径にすることができる。また、当該コード巻取り装置は、コード案内装置で当該案内穴を前記巻取り径変更手段で変更したリールにコードを巻取った巻取り径に近接するよう移動することができる。したがって、巻取り径変更手段とコード案内装置を備えるコード巻取り装置は、使用者が使用するコードを巻き取るに適切な巻取りリール径にするとともに、リールにコードを巻取った巻取り径に合わせて前記案内穴も径方向位置に近接させることができ、目的に合った大きさのコード巻取り装置を提供することができる。
【００１３】
請求項２に記載のコード巻取り装置は、前記ピニオンギアの回転によりガイド部材にガイドされて移動するラック部材の前記案内穴を、リールにコードを巻取った巻取り径に合わせて径方向位置に近接させて移動して調整した後ロック手段でロックするものであるから、リールにコードを巻取った巻取り径に合わせて前記案内穴を径方向位置に近接させることができ、目的に合った大きさのコード巻取り装置を提供することができる。
【００１４】
請求項３に記載のコード巻取り装置は、巻取り径変更手段を、第１アームと第２アームとで構成し、第１アームと第２アームの屈曲角を変更することで一対の第２アームのコード巻取り周面で形成されるコード巻取り周面間の距離を調整してリールの巻取り径を決定するようにしたものであるから、第１アームと第２アームの屈曲角を変更するだけで前記リールを、使用者が使用するコードを巻き取るに適切な巻取りリール径にすることができ、使用者が使用する目的に合った大きさのコード巻取り装置を提供することができる。
【００１５】
請求項４に記載のコード巻取り装置は、第１アームと第２アームの屈曲部にもコードを巻き取るコード巻取り周面を形成し、それぞれのコード巻取り周面にコードを巻回させるようにしたものであるから、リールの巻取り径を円径に近づけることになり、径に対するコードの巻取り量を多く巻回させることができる。
【００１６】
請求項５に記載のコード巻取り装置は、巻取り径変更手段を、基台と複数のアームとで構成し、それぞれのアームの長さを変更することで複数のアームのコード巻取り周面間の距離を調整して巻取りリール径を決定するようにしたものであるから、それぞれのアームの長さを変更するだけで、リールを使用者が使用するコードを巻き取るに適切な巻取りリール径にすることができ、使用者が使用する目的に合った大きさのコード巻取り装置を提供することができる。
【００１７】
請求項６に記載のコード巻取り装置は、コードの中間部を前記第１アーム中心部または前記基台中心部に係止させてコードを中間部から２分し、コードの両端部側の一方の第１コードをコード巻取り周面の左周面間を巻回させるとともにコードの両端部側の他方の第２コードをコード巻取り周面の右周面間を巻回させ、前記コード案内装置を、前記ラック部材を一対配置し互いに反対方向に移動するよう前記ピニオンギアにギアを噛合わせ、それぞれのラック部材の案内穴を前記リールを跨いで前記コード巻取り周面に対峙させて配置し、一方の案内穴をコード巻取り周面の左周面に対峙させ第１コードを通過させて案内させるとともに他方の案内穴をコード巻取り周面の右周面に対峙させ第２コードを通過させて案内させるようにし、それぞれの案内穴を前記コード巻取り周面にコードを巻取った巻取り径に近接させるよう前記ピニオンギアとラック部材により径方向に調整した後、前記ロック手段にてロックするようにしたものであるから、第１コードをコード巻取り周面間の左周面に、第２コードをコード巻取り周面間の右周面に分けて巻回することができるとともに、巻き取ったリールから引き出される第１コードと第２コードを前記コード案内装置のそれぞれ別の案内穴を通過させて案内させ、巻取りリールに２つのコードを巻取った巻取り径に合わせてそれぞれの案内穴も径方向に近接させることができ、使用者が使用する目的に合った大きさのコード巻取り装置を提供することができる。
【図面の簡単な説明】
【００１８】
【図１】本考案に係る第１実施例のコード巻取り装置Ａを説明する説明図で、第１実施例の展開図である。
【図２】第１実施例の斜視図である。
【図３】軸芯１の軸端１ａ部分の要部断面図である。
【図４】ロック手段２０を説明する説明図で、軸芯１の軸端１ｃ部分の要部断面図である。
【図５】ロック手段２３を説明する説明図で、軸芯１の軸端１ｃ部分の要部断面図である。
【図６】巻取り径変更手段１３で、第１アーム１１と第２アーム１２の屈曲角を最大に屈曲させ、巻取りリール径を最小にした場合を説明する説明図である。
【図７】巻取り径変更手段１３で、第１アーム１１と第２アーム１２の屈曲角を最小に屈曲させ、巻取りリール径を最大にした場合を説明する説明図である。
【図８】巻取り径変更手段１３で、第１アーム１１と第２アーム１２の屈曲角を中間に屈曲させ、巻取りリール径を中間にした場合を説明する説明図である。
【図９】リール１０をバネ収納ケース１４を介して軸芯１に回転自在とした場合を説明する説明図である。
【図１０】短くした軸芯１の軸端１ｅ部分の要部断面図である。
【図１１】本考案に係る第２実施例のコード巻取り装置Ｂを説明する説明図で、第２実施例の斜視図である。
【図１２】本考案に係る第３実施例のコード巻取り装置Ｃを説明する説明図で、第３実施例の展開図である。
【図１３】第３実施例の斜視図である。
【図１４】第３実施例の斜視図で、コード案内装置３１を説明する説明図である。
【図１５】本考案に係る第４実施例のコード巻取り装置Ｄを説明する説明図で、第４実施例の展開図である。
【図１６】第４実施例の斜視図である。
【図１７】本考案に係る第５実施例のコード巻取り装置Ｅを説明する説明図で、第５実施例の斜視図である。
【図１８】本考案に係る第６実施例のコード巻取り装置Ｆを説明する説明図で、第６実施例の展開図である。
【図１９】第６実施例の斜視図である。
【図２０】巻取り径変更手段６０で、第１アーム６２と第２アーム６３の長さが最大になるよう調整し、巻取りリール径を最大にした場合を説明する説明図である。
【図２１】巻取り径変更手段６０で、第１アーム６２と第２アーム６３の長さが最小になるよう調整し、巻取りリール径を最小にした場合を説明する説明図である。
【図２２】巻取り径変更手段６０で、第１アーム６２と第２アーム６３の長さが中間になるよう調整し、巻取りリール径を中間にした場合を説明する説明図である。
【図２３】本考案に係る第７実施例のコード巻取り装置Ｇを説明する説明図で、第７実施例の展開図である。
【図２４】第７実施例の斜視図である。
【図２５】従来技術のコード巻取り装置を説明する説明図で、従来のコード巻取り装置の展開図である。
【図２６】従来のコード巻取り装置の断面図である。
【図２７】従来のコード巻取り装置のもう一つの断面図である。
【考案を実施するための形態】
【００１９】
本考案に係る第１実施例のコード巻取り装置Ａを図１〜図８に図示し以下に説明する。図１は、第１実施例の展開図であり、図２は第１実施例の斜視図である。図１、図２において、１０は、リールであって、軸芯１に中心部を回転自在に取付けられた第１アーム１１と、第１アーム１１のそれぞれの両端部に一端部を屈曲可能に連結し、他端部にコード２を巻き取るコード巻取り周面を形成した一対の第２アーム１２、とで構成している。第１アーム１１と第２アーム１２の連結は、第１アーム１１のそれぞれの両端部に円周を１０等分した正１０角形の凹部１１aを設け、第２アーム１２の一端部には円周を１０等分した正１０角形の凸部１２aを設けて、それぞれの凹部１１aに凸部１２aを嵌合可能になっており、嵌合は締まり嵌め込みとなるようになっている。そして凹部１１aに凸部１２aのそれぞれの多角形の辺をずらして嵌合させることで、第１アーム１１のそれぞれの両端部に第２アーム１２を屈曲角を変更して連結させることができるようになっている。
【００２０】
なお、第１アーム１１と第２アーム１２の屈曲角の変更を正１０角形の凹部１１aと凸部１２aの嵌合で行うようにしているが、正１０角形でなくても他の多角形の凹部と凸部の嵌合で屈曲角を変更するようにしてもよい。また、第１アーム１１と第２アーム１２をボルト、ナット等、その他の取付け方法で屈曲角を変更するようにしたものであってもよい。
【００２１】
第２アーム１２の他端部には円柱片１２bの端部を取付け、取付けた円柱片１２bの他端部に鍔１２cを取付け、円柱片１２bの側面をコード巻取り周面１２dとしている。円柱片１２bの側面のコード巻取り周面１２dは第２アーム１２の先端部と前記鍔１２cで挟まれ、コード巻取り周面１２dに巻回されるコード２がコード巻取り周面１２dから脱落しないように脱落防止機能を持たせたものである。
【００２２】
第１アーム１１の側面１１ｂには、中心に軸芯1を貫通させ、第１アーム１１と同様に軸芯1に回転自在な円柱状のコード係止具１１ｄを取付けている。そして、軸芯１の軸端１ａ部分の要部断面図を図３で図示するように、軸芯1の軸端１ａにネジ穴１ｂを設け、このネジ穴１ｂにボルト２４をねじ込み軸芯１からコード係止具１１ｄが抜け出ないようにしている。ねじ込んだボルト２４によりコード係止具１１ｄの回転が阻止されないよう、コード係止具１１ｄより軸芯１が僅かに突出するようにしている。
【００２３】
このように構成されているリール１０は、第１アーム１１に対して第２アーム１２をそれぞれ反対方向に屈曲させて第１アーム１１と第２アーム１２の屈曲角を変更することで、一対の第２アーム１２の円柱片１２bの側面で形成されるコード巻取り周面１２d間の距離を調整してリール１０の巻取りリール径を変更する巻取り径変更手段１３を備え、一対の第２アーム１２の円柱片１２bの側面で形成されるコード巻取り周面１２d間にコード２を巻回させて、コード２をリール１０に巻き取るようにしている。
【００２４】
ここで屈曲角を変更した図面でコード２の巻取り量と巻取りリール径との関係を説明する。図６〜図８は、第１アーム１１と第２アーム１２の屈曲角を変更した場合の断面図を示すものである。図６は、第１アーム１１と第２アーム１２の屈曲角を最大に屈曲させた場合を示しており、一対の第２アーム１２の円柱片１２bの側面で形成されるコード巻取り周面１２d間に巻回されるコード２の巻回量は最小で、リール１０の巻取りリール径は最小の場合である。
【００２５】
図７は、第１アーム１１と第２アーム１２の屈曲角を最小にした場合で、第１アーム１１の延長上に第２アーム１２を沿わせた場合を示しており、一対の第２アーム１２の円柱片１２bの側面で形成されるコード巻取り周面１２d間に巻回されるコード２の巻回量は最大で、リール１０の巻取りリール径は最大の場合である。
【００２６】
図８は、第１アーム１１と第２アーム１２の屈曲角を中間に屈曲させた場合を示しており、一対の第２アーム１２の円柱片１２bの側面で形成されるコード巻取り周面１２d間に巻回されるコード２の巻回量は中間で、リール１０の巻取りリール径は中間の場合である。    
【００２７】
１４は、渦巻きバネ１５を収納するバネ収納ケースである。渦巻きバネ１５は、内端を軸芯１に連結し外端をバネ収納ケース１４に接続している。バネ収納ケース１４の側面１４aと前記第１アーム１１の側面１１ｂとを連結することにより、リール１０とバネ収納ケース１４が連結され、リール１０に巻き取ったコード２を引き出すことで渦巻きバネ１５に付勢力を発生させこの付勢力によりリール１０にコード２を巻き取らせることができるようにしている。
【００２８】
１６は、コード案内装置であって、前記軸芯１に回転自在に取り付けたピニオンギア１７と、当該ピニオンギア１７のギアにそのギアを噛合わせて配置したラック部材１８と、前記軸芯１に連結(固定)され前記ラック部材１８の移動をガイドするガイド部材１９と、前記ラック部材１８の移動を阻止するロック手段２０とからなっている。
【００２９】
ラック部材１８は、ラック部材１８の一端から中央部に向かった直線状のギアａに前記ピニオンギア１７を噛み合わせ、直線状のギア１８ａに沿って台形状のキー１８ｂを施してある。また、ラック部材１８の他端部１８ｃは折り曲げられ、当該ラック部材１８をL字状に形成し、折り曲げて形成した面１８ｅを前記リール１０のコード巻取周面１２ｄに対峙させ、この面１８ｅに前記コード２を通過させ前記コードを案内する案内穴１８ｆを設けている。
【００３０】
ガイド部材１９は、軸芯１にその中心を連結(固定)され、前記ラック部材１８に対峙して配置され、ラック部材１８の台形状のキー１８ｂに嵌合する台形状のキー溝１９ａを設けている。そして、ピニオンギア１７の回転に伴って、キー溝１９ａに嵌合したラック部材１８のキー１８ｂは摺動移動し、ラック部材１８の直線移動をガイドさせるようになっている。
【００３１】
ロック手段２０は、軸芯１の軸端１ｃ部分の要部断面図を図４で図示するように、軸端１ｃに設けたネジ穴１ｄと、ネジ穴１ｄにねじ込むボルト２１で構成され、軸芯１に挿入された前記ピニオンギア１７の軸芯まわりの側面部１７ａは、軸芯１の軸端１ｃより僅かに突出させており、軸芯１にボルト２１をねじ込んだ時にボルト２１の頭部によりピニオンギア１７の側面部１７ａを押さえ付けて、ピニオンギア１７の回転を阻止するようにしている。すなわち、ピニオンギア１７の回転を阻止することで、前記ラック部材１８の移動を阻止するロック手段２０としているものである。
【００３２】
このように構成したコード案内装置１６は、ボルト２１のねじを緩めておき、前記ラック部材１８の案内穴１８ｆを前記巻取り径変更手段１３で変更したリール１０にコード２を巻取った巻取り径に近接するよう前記ピニオンギア１７の回転でラック部材１８を移動させて調整した後、ネジ穴１ｄにボルト２１をねじ込み、締め付けることで前記ラック部材１８の移動を阻止しロックするロック手段２０を備えている。
【００３３】
上記ロック手段２０では、ピニオンギア１７の軸芯まわりの側面部１７ａを、軸芯１の端部１ｃより僅かに突出させたが、軸芯１の軸端１ｃ部分の要部断面図を図５で図示するように、ピニオンギア１７の軸芯まわりの側面部１７ａを突出させずに、軸芯１に挿入したピニオンギア１７の側面とネジ穴１ｄにねじ込むボルト２１との間の軸芯１にワッシャ２２を挿入させるようにしてもよい。この場合、ワッシャ２２の厚さは、軸芯１に挿入時に軸端１ｃから僅かにはみ出る厚さで、軸芯１にボルト２１をねじ込んだ時にボルト２１の頭部によりワッシャ２２を介してピニオンギア１７の側面を押さえ付けて、ピニオンギア１７の回転を阻止するようにしている。すなわち、ワッシャ２２を介してピニオンギア１７の回転を阻止し、前記ラック部材１８の移動を阻止するロック手段２３としてもよい。
【００３４】
なお、上記ロック手段２０、２３の実施形態では、軸芯１にピニオンギア１７を固定してピニオンギア１７の回転を阻止して前記ラック部材１８の移動を阻止するようにしたものであるが、ガイド部材１９にピニオンギア１７を固定してピニオンギア１７の回転阻止して前記ラック部材１８の移動を阻止するようにしてもよい。また、ガイド部材１９にラック部材１８を固定してラック部材１８の移動阻止するようにしてもよい。更に、ピニオンギア１７とラック部材１８を固定してラック部材１８の移動阻止するようにしてもよい。
【００３５】
このように構成した第１実施例のコード巻取り装置Ａは、次のように作用する。まずコード巻取り装置Ａを使用する目的のコード２を巻き取る適切なコード巻取り装置Ａにセットする。そのためには、巻取り径変更手段１３によりリール径を調整するもので、目的のコード２を巻回するリール径となるように、第１アーム１１と第２アーム１２の屈曲角を調整する。すなわち、第１アーム１１の凹部１１aに第２アーム１２凸部１２aのそれぞれの多角形の辺をずらして嵌合させることで、第１アーム１１のそれぞれの両端部に第２アーム１２を屈曲角を変更して連結させて、リール径を調節するのである。
【００３６】
すなわち、長いコード２を巻回する場合は、図７に図示するように第１アーム１１と第２アーム１２の屈曲角を調整し、短いコード２を巻回する場合は、図６に図示するように第１アーム１１と第２アーム１２の屈曲角を調整し、中間のコード長さのコード２を巻回する場合は、図８に図示するように第１アーム１１と第２アーム１２の屈曲角を調整すればよい。
【００３７】
次に、ロック手段２０のボルト２１を緩め、前記ラック部材１８の案内穴１８ｆを前記巻取り径変更手段１３で変更したリール１０にコード２を巻取った巻取り径に近接するよう前記ピニオンギア１７とラック部材１８により調整する。このとき、ピニオンギア１７の回転に伴って、ガイド部材１９のキー溝１９ａに嵌合したラック部材１８のキー１８ｂは摺動移動し、ガイド部材１９はラック部材１８の直線移動をガイドさせる。調整後は、ネジ穴１ｄにボルト２１をねじ込み、締め付けることでロック手段２０は前記ラック部材１８の移動を阻止しロックする。
【００３８】
前記ラック部材１８の案内穴１８ｆは、前記巻取り径変更手段１３で変更したリール１０にコード２を巻取った巻取り径に近接して移動するよう、前記ピニオンギア１７とラック部材１８により調整するもので、図６〜図８に図示するように、前記巻取り径変更手段１３で変更したリール１０にコード２を巻取った巻取り径に近接して前記ラック部材１８の案内穴１８ｆが移動する。
【００３９】
コード２は、一端をコード係止具１１dに係止した後、他端側を一対の第２アーム１２の円柱片１２bの側面で形成されるコード巻取り周面１２d間に巻回させ、他端をラック部材１８の案内穴１８ｆを通過させる。
【００４０】
このようにしてセットしたコード巻取り装置Ａは、次のようにして使用される。ラック部材１８の案内穴１８ｆを通過させたコード２を引き出すことで、軸芯１を中心にリール１０が回転し、リール１０から巻回したコード２が引き出される。リール１０の回転とともに渦巻きバネ１５に付勢力を発生させる。引き出しを止め緩めると、渦巻きバネ１５の付勢力によりリール１０にコード２を巻き取らせるできることができる。
【００４１】
この実施例では図示し説明していないが、渦巻きバネ１５の付勢力を一時停止させるラチェット機能を付加させることも可能である、この機能を付加させれば引き出し途中で渦巻きバネ１５の付勢力でリール１０にコード２が巻き取られるのを停止させることができ、その状態からコード２を少し引き出し緩めることで停止機能を解除し巻き取らせるようにすることができる。
【００４２】
このように巻取り径変更手段１３とコード案内装置１６を備えるコード巻取り装置Ａは、使用者が使用するコード２を巻き取るに適切な巻取りリール径にするとともに、リール１０にコード２を巻取った巻取り径に合わせて前記案内穴１８ｆも径方向位置に近接させることができ、目的に合った大きさのコード巻取り装置Ａを提供することができる。
【００４３】
上記第１実施例では、軸芯１を第１アーム１１とコード係止具１１ｄに貫通させこれらを回転自在としたが、図９に展開図を図示するように、第１アーム１１とコード係止具１１ｄに軸芯１を貫通させずに、軸芯１の長さを短くしてバネ収納ケース１４までとし、バネ収納ケース１４を介して第１アーム１１とコード係止具１１ｄを軸芯１に回転自在とするようにしてもよい。
【００４４】
すなわち、バネ収納ケース１４の側面１４ａに軸芯１を経過する台形上のキー溝１４ｂと、前記第１アーム１１の両凹部１１ａ間の中心で側面１１ｃに前記台形上のキー溝１４ｂに嵌合する台形状のキー１１ｄとを設けて、リール１０とバネ収納ケース１４とを連結する。そして、短くした軸芯１の軸端１ｅ部分の要部断面図を図１０で図示するように、短くした軸芯１の軸端１ｅにネジ穴１ｆを設け、このネジ穴１ｆにねじ込むボルト２５の頭を収納する座ぐり１４ｃを、バネ収納ケース１４の前記台形上のキー溝１４ｂ内で回転中心の側面１４ａに設けることで、バネ収納ケース１４を軸芯１に回転自在に取り付けている。軸芯１の軸端１ｅは、座ぐり１４ｃの底面から僅かに突出するようにしており、ネジ穴１ｆにねじ込むボルト２５により回転が阻止されないようにしている。
【００４５】
このようにして、バネ収納ケース１４を介してリール１０を軸芯１に回転自在としている。そしてこの場合も、リール１０に巻き取ったコード２を引き出すことで渦巻きバネ１５に付勢力を発生させこの付勢力によりリール１０にコード２を巻き取らせるようにしている。
【００４６】
このようにすることで、第１アーム１１と第２アーム１２の屈曲角を調整した後に、リール１０を軸芯１に取付けることができ、コード巻取り装置Ａのセットをやり易くすることができる。このコード巻取り装置Ａのセットや使用については上記実施例の場合と同じであるのでここでは説明を省略する。
【００４７】
次に、上記第１実施例では、コード巻取り周面１２ｄを第２アーム１２の先端部に取付けた円柱片１２ｂに設けた場合で説明したが、第１アーム１１と第２アーム１２の屈曲部にもコード巻取り周面を形成した場合を第２実施例として説明する。図１１は、本考案に係るコード巻取り装置Ｂを説明する説明図で第２実施例の斜視図である。コード巻取り装置Ｂは、第１実施例のコード巻取り装置Ａとは、第１アーム１１と第２アーム１２の屈曲部にもコード巻取り周面を形成した点で相違しており、他は同じである。したがって、第１アーム１１と第２アーム１２の屈曲部で第２アーム１２の一端部に円柱片１２ｅを取付け、取付けた円柱片１２ｅの他端部に鍔１２ｆを取付け、円柱片１２ｅの側面をコード巻取り周面１２ｇとしている。円柱片１２ｅの側面のコード巻取り周面１２ｇは第２アーム１２の先端部と前記鍔１２ｆで挟まれ、コード巻取り周面１２ｇに巻回されるコード２がコード巻取り周面１２ｆから脱落しないように脱落防止機能を持たせている。
【００４８】
このように構成した第２実施例のコード巻取り装置Ｂは、第１アーム１１に対して第２アーム１２をそれぞれ反対方向に屈曲させて第１アーム１１と第２アーム１２の屈曲角を変更することで、各円柱片１２b、１２ｅの側面で形成されるコード巻取り周面１２d、１２ｇに巻回されるコード２の巻回量を変更することができ、コード巻取り周面を増やした分リールの巻取り径を円径に近づけることになり、第１実施例の場合と比較して巻回量を多く巻回することができる。
【００４９】
上記第１実施例および第２実施例では、リール１０にコード２の一端から巻取り、リール１０よりコード２の他端を引き出し入れを行うようにしたコード巻取り装置の実施例で説明したが、リール１０にコード３０の中間部から巻取り、リール１０よりコード３０の両端を別々の案内穴から引き出し入れを行うようにしたコード巻取り装置Ｃの実施例を第３実施例として図１２〜図１４図示し以下に説明する。
【００５０】
図１２は、第３実施例の展開図、図１３は、第３実施例の斜視図、図１４は、第３実施例の斜視図でコード案内装置３１を説明する説明図である。第３実施例は、第２実施例とコードとコード案内装置が相違しており、他は同じであるので、相違している部分以外については同じであるので説明を省略し同じ符号を用いて説明する。３０は、コードで、中間部を前記第１アーム１１の中心部に設けたコード係止具部１１ｄに係止させ、係止した中間部から前記コード３０の両端部側の一方の第１コード３０ａを前記コード巻取り周面１２ｄ間の左周面に巻回させ、前記コード３０の両端部側の他方の第２コード３０ｂを前記コード巻取り周面１２ｄ間の右周面に巻回させている。
【００５１】
３１は、コード案内装置で、前記ラック部材１８の他にもう一つラック部材３２を配置している点で前述したコード案内装置１６と相違している。ラック部材３２は、前記ラック部材１８と逆に反対方向に移動するよう前記ピニオンギア１７に直線状のギア３２ａを噛合わせ、直線状のギア３２ａに沿って台形状のキー３２ｂを施してある。また、ラック部材３２の他端部３２ｃは折り曲げられ、当該ラック部材３２をL字状に形成し、折り曲げて形成した面３２ｅを前記リールのコード巻取面１２ｄに対峙させ、この面に前記第２コード３０ｂを通過させ当該コードを案内する案内穴３２ｆを設けている。そして、前述した前記ラック部材１８の案内穴１８ｆには、前記第１コード３０ａを通過させて案内させるようにしている。
【００５２】
ガイド部材１９には、台形状のキー溝１９ａの他に、対峙して配置した前記ラック部材３２の台形状のキー３２ｂに嵌合する台形状のキー溝１９ｂを設け、ピニオンギア１７の回転に伴って、キー溝１９ｂに嵌合したラック部材３２のキー３２ｂを摺動移動し、ラック部材３２の直線移動をガイドさせるようになっている。
【００５３】
前記ロック手段２０は、ピニオンギア１７の回転を阻止することで、前記ラック部材１８の移動を阻止するロック手段として使用したものであるが、ピニオンギア１７の回転を阻止することで、前記ラック部材３２の移動も阻止するロック手段としも使用できるものである。
【００５４】
このように、第３実施例では、ラック部材１８、３２を一対配置し互いに反対方向に移動するよう前記ピニオンギア１７に直線状のギア１８ａ、３２ａを噛合わせ、それぞれのラック部材１８、３２の案内穴１８ｆ、３２ｆを前記リール１０を跨いで前記コード巻取り周面１２ｄに対峙させて配置し、一方の案内穴１８ｆをコード巻取り周面１２ｄの左周面に対峙させ第１コード３０ａを通過させて案内させるとともに、他方の案内穴３２ｆをコード巻取り周面１２ｄの右周面に対峙させ第２コード３０ｂを通過させて案内させるようにし、それぞれの案内穴１８ｆ、３２ｆを前記コード巻取り周面１２ｄにコード３０を巻取った巻取り径に近接させるよう前記ピニオンギア１７とラック部材１８、３１により径方向に調整した後、前記ロック手段２０にてロックするようにしたものである。
【００５５】
このように構成した第３実施例のコード巻取り装置Ｃは、第１コード３０ａをコード巻取り周面１２ｄ間の左周面に、第２コード３０ｂをコード巻取り周面１２ｄ間の右周面に分けて巻回することができるとともに、巻き取ったリールから引き出される第１コード３０ａと第２コード３０ｂを前記コード案内装置３１のそれぞれ別の案内穴１８ｆ、３２ｆを通過させて案内させ、２つのコードを巻取ったリール１０の巻取り径に合わせてそれぞれの案内穴１８ｆ、３２ｆも径方向に近接させることができ、目的に合った大きさのコード巻取り装置を提供することができる。
【００５６】
上記第１実施例〜第３実施例では、リール１０の巻取り周面１２ｄを形成する円柱片１２ｂを第１アーム１１、第２アーム１２に片持ち支持し、コード案内装置をリール１０の一側面に配置したものであるが、第１アーム１１、第２アーム１２を円柱片１２ｂの両側に配置して円柱片１２ｂを両持ち支持にし、コード案内装置をリール１０の両側に配置するようにしたコード巻取り装置Ｄの実施例を第４実施例として図１５〜図１６に図示し以下に説明する。
【００５７】
図１５は、第４実施例の展開図、図１６は、第４実施例の斜視図である。第４実施例は、第２実施例のリール１０とコード案内装置１６が相違している。すなわち、第２実施例の円柱片１２ｂに取付けた鍔１２ｃ側にも鍔１２ｃに変えて第１アーム１１、第２アーム１２を追加して取付け、円柱片１２ｂの両側に第１アーム１１、第２アーム１２を取付けて円柱片１２ｂを両持ち支持にしている。したがって、追加した第１アーム１１、第２アーム１２にも同様に屈曲角を変更して連結させてリール径を変更させるようになっており、ここでは巻取り径変更手段１３は、両側の各アームの屈曲角を同じにして巻取りリール径を変更させるものである。そして追加した第１アーム１１、第２アーム１２側も同構造であるので説明を省略し同じ符号を用いて説明する。
【００５８】
また、第４実施例のコード案内装置４１は、第３実施例のコード案内装置３１のラック部材３２に案内穴３２ｆを設けていないコード案内装置４１ａを配置するとともに、リール１０を跨いで反対側にラック部材１８とラック部材３２を備えたコード案内装置４１ｂを配置している。コード案内装置４１ｂのラック部材１８とラック部材３２には、案内穴１８ｆと案内穴３２ｆとを設けていない。コード案内装置４１は、コード案内装置４１ａとコード案内装置４１ｂの他端部同士を結合させて構成している。ここで、コード案内装置４１ｂの軸芯４０は、ガイド部材１９の中心に連結(固定)しピニオンギア１７と第１アーム１１とを回転自在にする軸芯であり、コード案内装置４１ａの軸芯１に比較して渦巻きバネ１５を備えていない分だけ短く設定されている。軸芯４０の両端は軸芯１の両端と同様に抜け止め機構が形成されるとともに、ピニオンギア１７を挿入している側には前述のロック手段２０を備えており、ここでは説明は省略する。
【００５９】
このように第４実施例のコード巻取り装置Ｄは、巻取り径変更手段１３とコード案内装置４１を備え、使用者が使用するコード２を巻き取るに適切な巻取りリール径にするとともに、リール１０にコード２を巻取った巻取りリール径に合わせて前記案内穴１８ｆも径方向位置に近接させることができ、目的に合った大きさのコード巻取り装置Ｄを提供することができる。しかも巻取り径変更手段１３を備えたリール１０のコード巻取り周面１２ｄは、両持ち支持とするとともに、コード案内装置４１も両方のラック部材を連結し、強固な構造とすることができる。また、コード案内装置４１は、リール１０を両側から囲んでいるので、リールに巻回したコード２を保護することができる。
【００６０】
上記第４実施例では、リール１０にコード２の一端から巻取り、リール１０よりコード２の他端を引き出し入れを行うようにしたコード巻取り装置の実施例で説明したが、リール１０にコード３０の中間部から巻取り、リール１０よりコード３０の両端を別々の案内穴から引き出し入れを行うようにしたコード巻取り装置Ｅの実施例を第５実施例として図１７に図示し以下に説明する。
【００６１】
図１７は、第５実施例の斜視図で、コード巻取り装置Ｅを図示する。第５実施例のコード巻取り装置Ｅは、第４実施例のコード巻取り装置Ｄでリール１０に巻回したコード２に変えコード３０を使用し、コード案内装置４１ｂのラック部材３２に案内穴３２ｆを設けた点が相違しており他は同じであるので、相違している部分以外については説明を省略し同じ符号を用いて説明する。コード３０は、中間部を前記第１アーム１１の中心部に設けたコード係止具部１１ｄに係止させ、係止した中間部から前記コード３０の両端部側の一方の第１コード３１ａを前記コード巻取り周面１２ｄ間の左周面に巻回させ、前記コード３０の両端部側の他方の第２コード３０ｂを前記コード巻取り周面１２ｄ間の右周面に巻回させている。
【００６２】
そして、前記第１コード３０ａは、コード案内装置４１ａの前記ラック部材１８の案内穴１８ｆを通過させ、第２コード３０ｂは、コード案内装置４１ｂの前記ラック部材３２の案内穴３２ｆを通過させ、それぞれのコードを案内させるようにしている。
【００６３】
このように構成した第５実施例のコード巻取り装置Ｅは、第３実施例と同様に、第１コード３０ａをコード巻取り周面１２ｄ間の左周面に第２コード３０ｂをコード巻取り周面１２ｄ間の右周面に分けて巻回することができるとともに、巻き取ったリールから引き出される第１コード３０ａと第２コード３０ｂを前記コード案内装置４１のそれぞれ別の案内穴１８ｆ、３２ｆを通過させて案内させ、巻取りリールに２つのコードを巻取った巻取り径に合わせてそれぞれの案内穴も径方向に近接させることができ、目的に合った大きさのコード巻取り装置を提供することができる。
【００６４】
しかも巻取り径変更手段１３を備えたリール１０のコード巻取り周面１２ｄは、両持ち支持とするとともに、コード案内装置４１も両方のラック部材で連結されており、強固な構造とすることができる。また、コード案内装置４１は、リールを両側から囲んでいるので、リールに巻回したコード３０を保護することができる。
【００６５】
上記第１実施例〜第５実施例のリール１０における巻取り径変更手段１３は、第１アーム１１に対して第２アーム１２をそれぞれ反対方向に屈曲させて第１アーム１１と第２アーム１２の屈曲角を変更して、リール１０の巻取りリール径を調整するようにしたものであるが、直接アームの長さを変更して巻取りリール径を調整するようにしたリール６４における巻取り径変更手段６０を形成したものであってもよい。この場合のコード巻取り装置Ｆを第６実施例として図１８〜図２２に図示し以下に説明する。
【００６６】
図１８は、第６実施例の展開図で、図１９は、第６実施例の斜視図、図２０〜図２２は、アームの長さを変更した図面で、コード２の巻取り量と巻取りリール径との関係を説明する図面である。第６実施例のコード巻取り装置Ｆは、上記第１実施例〜第５実施例のリール１０における巻取り径変更手段１３をリール６４の巻取り径変更手段６０に変更したもので、リール６４および巻取り径変更手段６０以外の部分については説明を省略し同符号を用いる。
【００６７】
６４は、リールであって、前記軸芯１に中央部を回転自在取付けた基台６１と、基台６１に対してその先端をそれぞれ反対方向に突出させるとともにその基端を基台６１に取付けその長さを変更可能にし先端にコード２を巻き取るコード巻取り周面を形成した複数のアーム(第６実施例では第１アーム６２と第２アーム６３)６２、６３とで構成している。基台６１は、長方形状で構成し、この基台６１の側面６１ａに前記バネ収納ケース１４の側面１４ａに設けた台形状のキー溝１４ｂに嵌合させる台形状のキー６１ｂを設けている。この台形状のキー６１ｂは、長方形状の基台６１の中心を通り、基台６１を前記バネ収納ケース１４に嵌合させた時に、前記軸芯１に回転自在な前記バネ収納ケース１４とともに基台６１も前記軸芯１に対して回転自在になっている。また、台形状のキー６１ｂを設けた基台６１の側面とは逆の側面で基台６１の中心には、コード係止具６１ｃを取り付けている。
【００６８】
また、基台６１の長方形の長辺に沿って第１アーム６２と第２アーム６３の基端部を連結させている。この連結は、長方形の長辺に複数設けたネジ穴と、第１アーム６２と第２アーム６３の基端部に設けた複数の穴とを合わせてボルト止めして行うものである。そして、ネジ穴に対するアーム側の複数の穴位置をずらしてあわせることで、基台６１に対して第１アーム６２と第２アーム６３の先端をそれぞれ反対方向に突出量を調整することでアーム長さを変更できるようにしてある。
【００６９】
第１アーム６２の先端部には円柱片６２ａの基端を取付け、第２アーム６３の先端部には円柱片６３ａの基端を取付けている。円柱片６２ａと円柱片６３ａの先端にはそれぞれ鍔６２ｂ、６３ｂを取り付けている。円柱片６２ａと円柱片６３ａの側面は、コード巻取周面６２ｃ、６３ｃを形成している。そしてリール６４は、第１アーム６２と第２アーム６３の長さを変更することでそれぞれアームのコード巻取り周面６２ｃ、６３ｃ間の距離を調整して巻取りリール径を決定する巻取り径変更手段６０を形成している。
【００７０】
このように構成した第６実施例のコード巻取り装置Ｆは、次のように作用する。まずコード巻取り装置Ｆを使用する目的のコード２を巻き取る適切なコード巻取り装置Ｆにセットする。そのためには、リール６４の巻取り径変更手段６０により巻取りリール径を調整する。そのために、目的のコード２を巻回する巻取りリール径となるように、第１アーム６２と第２アーム６３の長さを調整する。すなわち基台１の長辺に設けたネジ穴に対する第１アーム６２と第２アーム６３側の複数の穴位置をずらして合わせてボルト止めして、基台６１に対して第１アーム６２と第２アーム６３の先端をそれぞれ反対方向に突出量を調整することでアーム長さを変更し、コード２を巻回する巻取りリール径を調節するのである。
【００７１】
すなわち、長いコード２を巻回する場合は、図２０に図示するように第１アーム６２と第２アーム６３の長さを最大になるよう調整し、短いコード２を巻回する場合は、図２１に図示するように第１アーム６２と第２アーム６３の長さを最小になるよう調整し、中間のコード長さのコード２を巻回する場合は、図２２に図示するように第１アーム６２と第２アーム６３の長さを中間になるように調整すればよい。
【００７２】
次に、ロック手段２０のボルト２１を緩め、前記ラック部材１８の案内穴１８ｆを前記巻取り径変更手段６０で変更したリール６４にコード２を巻取った巻取り径に近接するよう前記ピニオンギア１７とラック部材１８により調整する。このとき、ピニオンギア１７の回転に伴って、キー溝１９ａに嵌合したラック部材１８のキー１８ｂは摺動移動し、ラック部材１８の直線移動をガイドさせる。調整後は、ネジ穴１ｄにボルト２１をねじ込み、締め付けることでロック手段２０は前記ラック部材１８の移動を阻止しロックする。
【００７３】
前記ラック部材１８の案内穴１８ｆは、前記巻取り径変更手段６０で変更したリール６４にコード２を巻取った巻取り径に近接するよう前記ピニオンギア１７とラック部材１８により調整するもので、図２０〜図２２に図示するように、記ラック部材１８の案内穴１８ｆも巻取りリール径に近接させる。
【００７４】
コード２の一端をコード係止具６１ｃに係止した後、他端側のコード２を第１アーム６２と第２アーム６３の円柱片６２ａ、６３ａの側面で形成されるコード巻取り周面６２ｃ、６３ｃ間に巻回させ、他端をラック部材１８の案内穴１８ｆを通過させる。
【００７５】
このようにしてセットしたコード巻取り装置Ｆは、次のようにして使用される。ラック部材１８の案内穴１８ｆを通過させたコード２を引き出すことで、軸芯１を中心にリール６４が回転し、リール６４から巻回したコード２が引き出される。リール６４の回転とともに渦巻きバネ１５に付勢力を発生させる。引き込みを止め緩めると渦巻きバネ１５の付勢力によりリール６４にコード２を巻き取らせるできることができる。
【００７６】
この実施例では図示し説明していないが、渦巻きバネ１５の付勢力を一時停止させるラチェット機能を付加させることも可能である、この機能を付加させれば引き出し途中で渦巻きバネ１５の付勢力でリール６４にコード２が巻き取られるのを停止させることができ、その状態からコード２を少し引き出し緩めることで停止機能を解除するようにすることができる。
【００７７】
このように巻取り径変更手段６０とコード案内装置１６を備えるコード巻取り装置Ｆは、使用者が使用するコード２を巻き取るに適切な巻取りリール径にするとともに、リール６４にコード２を巻取った巻取り径に合わせて前記案内穴１８ｆも径方向位置に近接させることができ、目的に合った大きさのコード巻取り装置Ｆを提供することができる。
【００７８】
上記第６実施例では、リール６４の巻取り周面６２ｃ、６３ｃを形成する円柱片６２ａ、６３ａを第１アーム６２、第２アーム６３に片持ち支持し、コード案内装置１６をリール６４の一側面に配置したものであるが、第１アーム６２、第２アーム６３を円柱片６２ａ、６３ａの両側に配置して円柱片６２ａ、６３ａを両持ち支持にしたリール７４にし、コード案内装置をリール７４の両側に配置した巻取り径変更手段７０にし、しかもリール７４にコード３０の中間部から巻取り、リール７４よりコード３０の両端をコード案内装置４１の別々の案内穴から引き出し入れを行うようにしたコード巻取り装置Ｇの実施例を第７実施例として図２３〜図２４に図示し以下に説明する。
【００７９】
第１アーム６２、第２アーム６３を円柱片６２ａ、６３ａの両側に配置して円柱片６２ａ、６３ａを両持ち支持にしたリール７４にコード３０を巻回している。コード３０は、中間部を前記基台６１の中心部に設けたコード係止具部６１ｃに係止させ、係止した中間部から前記コード３０の両端部側の一方の第１コード３０ａを前記コード巻取り周面６２ｃ、６３ｃ間の左周面に巻回させ、前記コード３０の両端部側の他方の第２コード３０ｂを前記コード巻取り周面６２ｃ、６３ｃ間の右周面に巻回させている。
【００８０】
そして、前記第１コード３０ａは、コード案内装置４１ａの前記ラック部材１８の案内穴１８ｆを通過させ、第２コード３０ｂは、コード案内装置４１ｂ前記ラック部材３２の案内穴３２ｆを通過させ、それぞれのコードを案内させるようにしている。
【００８１】
このように構成した第７実施例のコード巻取り装置Ｇは、第１コード３０ａをコード巻取り周面６２ｃ、６３ｃ間の左周面に巻回し、第２コード３０ｂをコード巻取り周面６２ｃ、６３ｃ間の右周面に分けて巻回できるとともに、巻き取ったリール７４から引き出される第１コード３０ａと第２コード３０ｂを前記コード案内装置４１のそれぞれ別の案内穴１８ｆ、３２ｆを通過させて案内させ、リール７４に２つのコードを巻取った巻取り径に合わせてそれぞれの案内穴も径方向に近接させることができ、目的に合った大きさのコード巻取り装置を提供することができる。
【００８２】
しかも巻取り径変更手段７０を備えたリール７４のコード巻取り周面６２ｃ、６３ｃは、両持ち支持とするとともに、コード案内装置４１も両方のラック部材で連結されており、強固な構造とすることができる。また、コード案内装置４１は、リール７４を両側から囲んでいるので、リール７４に巻回したコード３０を保護することができる。
【００８３】
上記各実施例におけるコード巻取り装置のリールやコード案内装置などを構成する各部品は、金属はもちろん、プラスチック、アクリルどの合成樹脂の材質で形成させることができる。
【００８４】
上述したコード巻取り装置は、上記各実施例におけるコード巻取り装置のコード２、３０の両端に、イヤホーンとジャツクを接続してイヤホーンコードのコード巻取り装置として使用できる。また、上述したコード巻取り装置は、上記各実施例におけるコード巻取り装置のコード２、３０の両端に、電源と携帯電話のバッテリーに接続するコネクターを接続して携帯電話の充電用コードのコード巻取り装置として使用できる。さらに、上述したコード巻取り装置は、上記各実施例におけるコード巻取り装置のコード２、３０の両端にＵＳＢのコネクターを接続してＵＳＢケーブルのコード巻取り装置として使用できる。
【符号の説明】
【００８５】
Ａ  コード巻取り装置
Ｂ  コード巻取り装置
Ｃ  コード巻取り装置
Ｄ  コード巻取り装置
Ｅ  コード巻取り装置
Ｆ  コード巻取り装置
Ｇ  コード巻取り装置
１  軸芯
２  コード
１０  リール  
１１  第１アーム  
１２  第２アーム
１２ｄ  コード巻取周面
１３  巻取り径変更手段
１４  バネ収納ケース
１５  渦巻バネ
１６  コード案内装置
１７  ピニオンギア
１８  ラック部材
１８ｆ  案内穴
１９  ガイド部材
２０  ロック手段
３０  コード
３０ａ  第１コード
３０ｂ  第２コード
３１  コード案内装置
３２ｆ  案内穴
３２  ラック部材
４１  コード案内装置
４１ａ  コード案内装置
４１ｂ  コード案内装置
６０  巻取り径変更手段
６１  基台
６２  第１アーム
６３  第２アーム
６２ｃ  コード巻取周面
６３ｃ  コード巻取周面
６４  リール
７０  巻取り径変更手段
７４  リール
【図１】
0003193058.tif 000003
【図２】
0003193058.tif 000004
【図３】
0003193058.tif 000005
【図４】
0003193058.tif 000006
【図５】
0003193058.tif 000007
【図６】
0003193058.tif 000008
【図７】
0003193058.tif 000009
【図８】
0003193058.tif 000010
【図９】
0003193058.tif 000011
【図１０】
0003193058.tif 000012
【図１１】
0003193058.tif 000013
【図１２】
0003193058.tif 000014
【図１３】
0003193058.tif 000015
【図１４】
0003193058.tif 000016
【図１５】
0003193058.tif 000017
【図１６】
0003193058.tif 000018
【図１７】
0003193058.tif 000019
【図１８】
0003193058.tif 000020
【図１９】
0003193058.tif 000021
【図２０】
0003193058.tif 000022
【図２１】
0003193058.tif 000023
【図２２】
0003193058.tif 000024
【図２３】
0003193058.tif 000025
【図２４】
0003193058.tif 000026
【図２５】
0003193058.tif 000027
【図２６】
0003193058.tif 000028
【図２７】
0003193058.tif 000029